(57)【要約】電源を投入することで時計回路の動作を再開させ、時計動作の確認を行える充電式電子時計を提供する。充電式電子時計は、第１の電源（２）と、第１の電源と接続された時計回路（８）と、第２の電源（３）が投入されたことを検知する電源投入検出回路（８６）と、第１の電源と第２の電源を接続するためのスイッチ回路（７、９）と、電源投入検出回路によって第２の電源が投入されたことが検出されたときに、スイッチ回路を制御して第１の電源と第２の電源とを接続し、第２の電源によって第１の電源を充電し、時計回路を動作させるように制御する制御回路（８７）とを有することを特徴とする。
2004027525.tif 000002
【特許請求の範囲】
【請求項１】
電子時計において、
第１の電源と、
前記第１の電源と接続された時計回路と、
第２の電源が投入されたことを検知する電源投入検出回路と、
前記第１の電源と前記第２の電源とを接続するためのスイッチ回路と、
前記電源投入検出回路によって前記第２の電源が投入されたことが検出されたときに、前記スイッチ回路を制御して前記第１の電源と前記第２の電源とを接続し、前記第２の電源によって前記第１の電源を充電し、前記時計回路を動作させるように制御する制御回路とを有する電子時計。
【請求項２】
前記第２の電源は、前記第１の電源よりも大きな容量を有する請求項１に記載の電子時計。
【請求項３】
前記スイッチ回路は、前記第１の電源と第２の電源を並列に接続するための第１のスイッチと、前記第１のスイッチと並列に接続された第２のスイッチとを有し、前記制御回路は、前記電源投入検出回路によって前記第２の電源が投入されたことが検出されたときに、前記第２のスイッチをオンさせて前記第１の電源と前記第２の電源とを接続する請求項１に記載の電子時計。
【請求項４】
さらに、発電手段と、
前記発電手段によって前記第２の電源が充分に充電されたときに、前記第１のスイッチをオンする電圧検出手段とを有する請求項３に記載の電子時計。
【請求項５】
前記制御回路は、前記時計回路により制御される請求項３に記載の電子時計。
【請求項６】
前記時計回路は発振回路を有し、
前記制御回路は、第２のスイッチをオンした後、前記発振回路が発振を開始することにより、第２のスイッチをオフするように前記時計回路によって制御される請求項３に記載の電子時計。
【請求項７】
前記制御回路は、第２のスイッチをオンした後、一定時間経過後に、第２のスイッチをオフするように制御する請求項３に記載の電子時計。
【請求項８】
前記制御回路は計時手段を含み、前記計時手段が一定時間の計時を行うと、前記制御回路は前記第２のスイッチをオフするように制御する請求項３に記載の電子時計。
【請求項９】
前記時計回路は発振回路を有し、
前記制御回路は、第２のスイッチをオンした後、前記発振回路が発振開始から一定時間経過後に、第２のスイッチをオフするように前記時計回路によって制御される請求項３に記載の電子時計。
【請求項１０】
前記電子時計はさらに発電手段を有し、
前記制御回路は、第２のスイッチをオンした後、前記発電手段の発電が行われたことを検出すると、第２のスイッチをオフするように制御する請求項３に記載の電子時計。
【請求項１１】
さらに、前記第２の電源の電圧が所定電圧以下のときは、前記第２のスイッチをオンさせないように動作する比較回路を有する請求項３に記載の電子時計。
【請求項１２】
前記スイッチ回路は、前記第１の電源と第２の電源を並列に接続するための第１のスイッチを有し、前記制御回路は、前記電源投入検出回路によって前記第２の電源が投入されたことが検出されたときに、前記第１のスイッチをオンさせて前記第１の電源と前記第２の電源とを接続する請求項１に記載の電子時計。
【請求項１３】
さらに、発電手段と、
前記発電手段によって前記第２の電源が充分に充電されたときに、前記第１のスイッチをオンする電圧検出手段とを有する請求項１２に記載の電子時計。
【請求項１４】
前記制御回路は、前記時計回路により制御される請求項１２に記載の電子時計。
【請求項１５】
前記時計回路は発振回路を有し、
前記制御回路は、第１のスイッチをオンした後、前記発振回路が発振を開始するまで、第１のスイッチをオンするように前記時計回路によって制御される請求項１２に記載の電子時計。
【請求項１６】
前記制御回路は、第１のスイッチをオンした後、一定時間経過するまで、第１のスイッチをオンするように制御する請求項１２に記載の電子時計。
【請求項１７】
前記制御回路は計時手段を含み、前記計時手段が一定時間の計時を行うと、前記制御回路は前記第１のスイッチをオンするように制御する請求項１２に記載の電子時計。
【請求項１８】
前記時計回路は発振回路を有し、
前記制御回路は、第１のスイッチをオンした後、前記発振回路が発振開始から一定時間経過するまで、第１のスイッチをオンするように前記時計回路によって制御される請求項１２に記載の電子時計。
【請求項１９】
前記電子時計はさらに発電手段を有し、
前記制御回路は、第１のスイッチをオンした後、前記発電手段の発電が行われたことを検出するまで第１のスイッチをオンするように制御する請求項１２に記載の電子時計。
【請求項２０】
さらに、前記第２の電源の電圧が一定電圧以下のときは、前記第１のスイッチをオンしないよう動作する比較回路を有する請求項１２に記載の電子時計。
【発明の詳細な説明】
従来技術
本発明は、電源スイッチの制御回路を有する電子時計に関するものである。特に、本発明は、組立工程途中の検査時等において、電源投入時に素早く時計回路を起動させることのできる電子時計に関するものである。
【背景技術】  電子時計、特に充電式電子時計では、小さい容量のキャパシタと大きい容量のキャパシタを用いているものがある。その場合、電子時計の時計回路を正常に動作させることができる位に、大きい容量のキャパシタが充電できるまでは、小さい容量のキャパシタで電子時計の時計回路を動作させている。また、大きい容量のキャパシタが十分充電されたことを電圧検出回路にて検出し、電子時計の電源を小さい容量のキャパシタから大きい容量のキャパシタに切り替えている。さらに、大きい容量のキャパシタの電圧が低下したときは、逆に電子時計の電源を大きい容量のキャパシタから小さい容量のキャパシタ切り替えている（特公平４−８１７５４号公報、第５頁の図１参照）。
一般的に、このような充電式電子時計では、発電源として例えばソーラーセルなどを有し、この発電源であるソーラーセルを用いて、前述の大きい容量のキャパシタ及び小さい容量のキャパシタを充電している。しかし、工場での組立工程中及び小売店等での分解掃除の工程中等では、発電源であるソーラーセルを組み込む前に、時計回路の動作を確認したい場合がある。そのような場合、ソーラーセルと接続されていない大きい容量のキャパシタ（一般的には二次電池を使用する）を組み込んで、大きい容量のキャパシタに充電されている電源を利用して時計回路を動作させている。
以下、図１５を用いて従来の技術を説明する。図１５は従来の充電式電子時計のブロック図である。図１５において、１は発電手段であり、本従来例ではソーラーセルを用いている。２は発電手段１のエネルギーを蓄え且つ時計回路を動作させるための第１蓄電手段であり、本従来例ではキャパシタを用いている。３は発電手段１のエネルギーを蓄え且つ発電手段１が発電していないときに第１蓄電手段２にエネルギーを放電するための第２蓄電手段であり、本従来例では二次電池を用いている。一般的には、キャパシタ２は二次電池３より容量の小さい物が使用される。
４及び５は発電手段１が発電しておらず、即ち起電圧を発生していない場合に、第１蓄電手段２及び第２蓄電手段３の蓄電エネルギーが発電手段１に逆流することを防止するための逆流防止ダイオードである。６は発電手段１の発電エネルギーを第２蓄電手段３に充電するためにオンするスイッチであり、本従来例ではＮチャネルトランジスタ６１により構成されている。７は第２蓄電手段３が十分充電されたときに第１蓄電手段２と第２蓄電手段３を並列に接続するためのスイッチであり、本従来例では逆方向Ｎチャネルトランジスタ７１及び順方向Ｎチャネルトランジスタ７２からより構成されている。
８は時計回路であり、発振回路８１、発振回路８１が発振しているかどうかを検出する発振停止検出回路８２、発振回路８１の信号を分周する分周回路８３、分周回路８３の信号を用いて所望の信号を作成する波形整形回路８４、及び第２蓄電手段３の電圧を検出する電池電圧検出回路８５などから構成されている。なお、時計回路８は、他に論理歩度調整回路及びモータ駆動回路等を含んでいるが、ここでは省略している。
次に図１５のブロック図の動作について説明する。第２蓄電手段３が十分蓄電されていないとき、電池電圧検出回路８５は第２蓄電手段３の電圧が低いことを検出して、スイッチ７をオフする。波形整形回路８４は、スイッチ６を例えば１秒おきにオン・オフを繰り返すように制御する。スイッチ６がオフしているとき発電手段１の発電エネルギーは第１蓄電手段２に充電され、スイッチ６がオンしているとき発電手段１の発電エネルギーは第２蓄電手段３に充電される。
第２蓄電手段３が十分充電されていない状態から、発電手段１により充電されて、電圧が上昇してくると、電池電圧検出手段８５が第２蓄電手段３の電圧が上昇したことを検出して、スイッチ７をオンする。これにより第１蓄電手段２と第２蓄電手段３が並列に接続されるので、スイッチ６のオン・オフに関わらず、第１蓄電手段２及び第２蓄電手段３は発電手段１によって同時に充電される。また、第１蓄電手段２と第２蓄電手段３が並列に接続されている状態では、発電手段１の発電がされなくなっても、第１蓄電手段２には第２蓄電手段３からエネルギーが補充されて、時計回路８は動作を続けることができる。
発電手段１が発電しない状態が続くと、やがて第２蓄電手段３の蓄電エネルギーが減少する。すると、電池電圧検出回路８５が第２蓄電手段３の電圧の低下を検出して、スイッチ７をオフする。すると、時計回路８の電源は第１蓄電手段２に切り替わる。発電手段１が発電しない状態がさらに続くと、第１蓄電手段２の蓄電エネルギーも消費されて、電圧が低下し、発振回路８１の動作が停止する。また、同時に波形整形回路８４の動作も停止し、スイッチ６はオフされる。
さらに、発電手段１が発電しない状態が続くと、時計回路８の内部リーク等により第１蓄電手段２の蓄電エネルギーはさらに減少し、第１蓄電手段２の電圧は０Ｖ（ＧＮＤ）に近くなる。すると、波形整形回路８４及び電池電圧検出回路８５が、スイッチ６及びスイッチ７をオフするために出力しているＬレベルは、Ｈレベルと認識されて、スイッチ６及びスイッチ７がオンしてしまう場合がある。これを防止するために、発振停止検出回路８２が発振停止を検出しているときは、波形整形回路８４及び電池電圧検出手段８５は、それぞれのＮチャネルトランジスタのバルク電位のＬレベルを出力して、スイッチがオフできるように構成されている。
このように、時計回路８が動作を停止している場合、スイッチ７がオフ状態であるので、時計回路の電源は第１蓄電手段２に設定されている。したがって、時計回路８が動作を再開するのは、第１蓄電手段２に蓄電エネルギーが蓄えられた場合、即ち発電手段１が発電を開始した場合となる。発電手段１が発電を開始すると、スイッチ６及びスイッチ７がオフしているので、発電手段１の発電エネルギーは第１蓄電手段２に蓄電される。第１蓄電手段２の電圧が発振回路８１の動作電圧を上回ると、発振回路８１が動作を開始し、スイッチ６及びスイッチ７の制御が可能になる。
以上は、発電手段（ソーラーセル）１が回路に接続されている状態における、発電手段１及び第１蓄電手段２及び３等の動作を説明したものである。しかしながら、工場の組立工程途中などにおいて、前述のように発電手段１を第１蓄電手段２又は第２蓄電手段３に接続する前に時計回路の動作を確認したい場合がある。
そのような場合、最初に、予めある程度充電されている第２蓄電手段３を電子時計に投入（電子時計の回路に接続又は組み込む）する。もちろん、発電手段１が回路に接続する前は、時計回路８は非駆動状態にある。第２蓄電手段３を電子時計に投入すると、第１蓄電手段２への充電が可能な状態となる。しかし、時計回路８が動いていないので電池電圧検出手段８５は非駆動状態にある。したがって、時計回路８の電源である第１蓄電手段２が第２蓄電手段３と切り離されている。そこで、スイッチ７の両端を導通ピンで触れることにより第１蓄電手段２を強制的に充電し、時計回路８を駆動状態としていた。他の方法としては、わざわざ発電手段（ソーラーセル）１を回路に接続することによって発電電源を確保し、時計回路８を駆動状態としていた。上記方法によって、第１蓄電手段２の電圧が一定電圧以上になると、時計回路８が動作を始める。その後、時計回路の動作確認、例えば消費電流の検査を行うこととなる。
上述したように、従来の充電式電子時計では、以下のような問題があった。
第１蓄電手段２の電池電圧が不十分な場合、時計回路８を動作させるためには、第１蓄電手段２を充電させる必要があった。例えば、工場の生産ラインの組立工程途中で時計回路８が動作するかどうかを確認したい場合、（１）第２蓄電手段３を投入するなどして第１蓄電手段２を強制充電する、又は（２）発電手段（ソーラーセル）１を回路に接続して第１蓄電手段２を充電する必要があった。
特に生産ラインで時計回路８の消費電流を測定する場合、通常第２蓄電手段３の端子に電流計を接続して測定を行うが、やはり時計回路８の電源である第１蓄電手段２が充電されるまでは時計回路８は動作しないので、わざわざ第１蓄電手段２を強制充電せねばならなかった。このように、わざわざ、第１蓄電手段２を充電する手間は、非常に煩わしかった。この点は、電子時計の分解修理時なども同様である。
【発明の開示】
本発明は上記の問題点を解決し、二次電池を投入するだけで確実に時計システムの動作を開始させ、短時間での消費電流の測定等の時計回路の動作確認を行うことができる（充電式）電子時計を提供することを目的とする。
上記目的を達成するために、本発明に係る電子時計は、第１の電源と、第１の電源に接続された時計回路と、第２の電源が投入されたことを検知する電源投入検出回路と、第１の電源と第２の電源を接続するためのスイッチ回路と、電源投入検出回路によって第２の電源が投入されたことが検出されたときに、スイッチ回路を制御して第１の電源と第２の電源とを接続し、第２の電源によって第１の電源を充電し、時計回路を動作させるように制御する制御回路とを有することを特徴とする。第２の電源が投入されたことを検出してスイッチをオンすることによって、時計回路に電源を供給することができる構成としたので、発電手段が発電をおこなわなくても停止状態の時計回路を動作させることができる。また、第２の電源が投入されたことを検出してスイッチをオンすることによって、時計回路に電源を供給することができる構成としたので、第１の電源に蓄電エネルギーが無い状態であっても、停止状態の時計回路を動作させることができる。
さらに、本発明に係る電子時計では、第２の電源は、第１の電源手段よりも大きな容量を有することが好ましい。
さらに、本発明に係る電子時計では、スイッチ回路は、第１の電源と第２の電源を並列に接続するための第１のスイッチと、第１のスイッチと並列に接続された第２のスイッチを有し、制御回路は、電源投入検出回路によって第２の電源が投入されたことが検出されたときに、第２のスイッチをオンさせて第１の電源と第２の電源とを接続することが好ましい。
さらに、本発明に係る電子時計では、発電手段によって第２の電源が充分に充電されたときに、第１のスイッチをオンする電圧検出手段とを有することが好ましい。
さらに、本発明に係る電子時計では、制御回路は、時計回路により制御されることが好ましい。
さらに、本発明に係る電子時計では、制御回路は、第２のスイッチをオンした後、発振回路が発振を開始することにより、第２のスイッチをオフするように時計回路によって制御されることが好ましい。発振回路が発振を開始した後にスイッチをオフするように構成したので、スイッチオフ後は、電子時計に通常の動作を行わせることができる。
さらに、本発明に係る電子時計では、制御回路は、第２のスイッチをオンした後、一定時間経過後に、第２のスイッチをオフするように制御することが好ましい。発振回路の開始後、十分に時間が経過してから、スイッチをオフするように構成したので、電源投入後確実に時計回路を動作させことができる。
さらに、本発明に係る電子時計では、制御回路は、計時手段を含み、計時手段が一定時間の計時を行うと、制御回路は第２のスイッチをオフするように制御することが好ましい。十分に時間が経過してから、スイッチをオフにするように構成したので、確実に時計回路を動作させることができる。
さらに、本発明に係る電子時計では、制御回路は、第２のスイッチをオンした後、発振回路が発振開始から一定時間経過後に、第２のスイッチをオフするように時計回路によって制御されることが好ましい。発振回路の開始後、十分に時間が経過してから、スイッチをオフするように構成したので、電源投入後確実に時計回路を動作させことができる。
さらに、本発明に係る電子時計では、制御回路は、第２のスイッチをオンした後、発電手段の発電が行われたことを検出すると、第２のスイッチをオフするように制御することが好ましい。発電手段が発電しているときにはスイッチをオフするように構成したので、電子時計は発電開始後は速やかに時計動作を行うことができる。
さらに、本発明に係る電子時計は、第２の電源の電圧が所定電圧以下のときは、第２のスイッチをオンさせないように動作する比較回路を有することが好ましい。電源電圧が発振回路の発振を行うのに不十分な場合はスイッチをオンしないように構成したので、電子時計は発電開始後は速やかに時計動作を行うことができる。
さらに、本発明に係る電子時計では、スイッチ回路は、第１の電源と第２の電源を並列に接続するための第１のスイッチを有し、制御回路は、電源投入検出回路によって前記第２の電源が投入されたことが検出されたときに、第１のスイッチをオンさせて第１の電源と前記第２の電源とを接続することが好ましい。第１のスイッチと並列に第２のスイッチを設けずに、第２の電源が投入されたことを検出して時計回路に電源を供給することができる構成とした。
【図面の簡単な説明】  図１は、本発明に係る第１の実施形態を示す充電式電子時計のブロック構成図である。
図２は、第１の実施形態の変形例を示すブロック構成図である。
図３は、本発明に係る第２の実施形態を示す充電式電子時計のブロック構成図ある。
図４は、第２の実施形態の変形例を示すブロック構成図である。
図５は、本発明に係る第３の実施形態を示す充電式電子時計のブロック構成図ある。
図６は、第３の実施形態の変形例を示すブロック構成図である。
図７は、本発明に係る第４の実施形態を示す充電式電子時計のブロック構成図ある。
図８は、第４の実施形態の変形例を示すブロック構成図である。
図９は、本発明に係る電源投入検出手段とＳＷ制御手段の構成図である。
図１０は、本発明に係る電源投入検出手段とＳＷ制御手段の動作タイムチャートである。
図１１は、本発明に係る第５の実施形態を示す充電式電子時計のブロック構成図ある。
図１２は、第５の実施形態の変形例を示すブロック構成図である。
図１３は、本発明に係る電源投入検出手段と第２のＳＷ制御手段の構成図である。
図１４は、発振停止検出回路８２と波形整形回路８４との関係を示す図である。
図１５は、従来の技術を示す充電式電子時計の構成図ある。
【発明を実施するための最良の形態】  以下本発明に係る充電式電子時計の実施形態について詳細に説明する。
図１は本発明に係る第１の実施形態を示す充電式電子時計のブロック図である。図１において、図１５と同様の構成には同一の番号を付して、説明を省略した。
図１において、８６は第２蓄電手段３が電子時計に投入されたことを検出する電源投入検出手段であり、８７は後述するスイッチ９を制御するＳＷ制御回路（ＳＷはスイッチの略）である。第２蓄電手段３から、電源投入検出手段８６及びＳＷ制御回路８７へ電源が供給される。スイッチ９は逆方向Ｎチャネルトランジスタ９１から構成されており、スイッチ７を構成するＮチャネルトランジスタ７１と並列に接続されている。
図９に、電源投入検出手段８６及びＳＷ制御回路８７の回路構成の一例を示す。電源投入検出手段８６はキャパシタ８６１、抵抗８６２及びインバータ８６３から構成されている。キャパシタ８６１の一方の電極はＶＤＤ電位に、他の電極は抵抗８６２に接続されている。抵抗８６２の一方の端子はＶＳＳ電位に、もう一方の端子はキャパシタ８６１に接続されている。キャパシタ８６１と抵抗８６２とを接続するラインがインバータ８６３の入力（信号（ａ））と接続され、インバータ８６３の出力が電源投入検出手段８６の出力（信号（ｂ））となる。
ＳＷ制御回路８７は、ナンドゲート８７１１及び８７１２を有するナンドラッチ８７１、及びインバータ８７２から構成される。ナンドラッチ８７１のナンドゲート８７１１の入力は、電源投入検出手段８６の出力（信号（ｂ））と接続されている。他のナンドゲート８７１２の入力は、図１の実施形態の場合は発振停止検出回路８２の出力（信号（ｃ））と接続されている。ナンドゲート８７１２の出力がインバータ８７２の入力と接続され、インバータ８７２の出力がＳＷ制御回路８７の出力（信号（ｄ））となる。
図９に示す回路の動作を、図１０に示すタイムチャートを用いて説明する。図１０の（ａ）〜（ｄ）は、前述した信号（ａ）〜（ｄ）をそれぞれ示している。時間ｔ１は電源投入検出手段８６に電源が投入された時間であり、且つ第２蓄電手段３が充電式時計に接続された時間である。電源投入検出手段８６にＶＳＳ電位が供給されると、キャパシタ８６１の容量と抵抗８６２の抵抗値による時定数に基づき、キャパシタ８６１がＶＳＳ電位に充電される。よって図９の信号（ａ）の電位は、図１０の（ａ）の様に推移する。ここでインバータ８６３は、入力が１／２ＶＳＳより高いときはＬレベル、低いときにはＨレベルを出力するものとする。
ｔ２は信号（ａ）が１／２ＶＳＳとなったときの時間である。キャパシタ８６１が充電されて、キャパシタ８６１の電位が１／２ＶＳＳより低くなると（時間ｔ２）、インバータ８６３の出力（信号（ｂ））はＬレベルからＨレベルに切り替わる（図１０の（ｂ）参照）。このように、電源投入検出手段８６は、第２蓄電手段３が投入された当初のみＬレベルを出力し、第２蓄電手段３が投入されたままであれば、その後Ｌレベルを出力することはない。
発振回路８１の発振停止を検出すると、発振停止検出回路８２の出力（信号（ｃ））はＨレベルとなる。したがって、第２蓄電手段３投入とき、ＳＷ制御回路８７のナンドゲート８７１２の入力（信号（ｃ））はＨレベルとなる（図１０の（ｃ）参照）。また、第２蓄電手段３投入とき、信号（ｂ）はＬレベルであるので、ナンドゲート８７１１の入力（信号（ｂ））はＬレベルで、したがってナンドゲート８７１１の出力はＨレベルとなる。両方の入力がＨレベルであるので、ナンドゲート８７１２の出力はＬレベルとなる。時間ｔ２に、ナンドゲート８７１２のＬレベルが入力されて、インバータ８７２の出力（信号（ｄ））はＨレベルとなる（図１０の（ｄ）参照）。
時間ｔ３は発振停止検出回路８２が発振回路８１の発振を検出した時間である。発振回路８１の発振を検出すると、発振振幅検出回路８２の出力（信号（ｃ））はＬレベルとなる。時間ｔ３に、ナンドゲート８７１２の入力（ｃ）がＬレベルになると、ナンドゲート８７１２の出力はＨレベルとなる。時間ｔ３に、ナンドゲート８７１２のＨレベルが入力されて、インバータ８７２の出力（信号（ｄ））はＬレベルとなる（図１０の（ｄ）参照）。このように、ＳＷ制御回路８７は、電源投入検出回路８６の出力（信号（ｃ））に基づいて、第２蓄電手段３が投入されてからＨレベルを出力し、その後Ｌレベルを出力する。ＳＷ制御回路８７は第２蓄電手段３が投入されたままであれば、その後動作することはない。
次に図１に示す回路の動作について説明する。
前述したように、例えば工場の組立工程途中で時計回路８の消費電流の検査をする場合を考慮し、発電手段（ソーラーセル）１は回路と接続されておらず、且つ第２蓄電手段（二次電池）３は電子時計に投入されていないものとする。
そこで、最初に、予めある程度充電されている第２蓄電手段３を投入する。
第２蓄電手段３が投入される直前、時計回路８は非動作状態である。また、発振停止検出回路８２が発振回路８１の発振停止を検出しているので信号（ｃ）はＨレベルである。また、波形整形回路８４及び電池電圧検出手段８５も、発振停止状態なので、それぞれＬレベルを出力する。
図１４に、発振停止検出回路８２と波形整形回路８４との関係を示す。図１４において波形整形回路８４のそれぞれの最終出力には、Ｎチャンネルトランジスタ１４０１のドレインが接続されている。これらのＮチャンネルトランジスタ１４０１のソース・バルクはＶＳＳに接続され、ゲートは発振停止検出回路８２に接続されている。発振停止検出回路８２は、発振停止を検出すると、Ｎチャンネルトランジスタ１４０１のゲートにＨレベル信号を供給する。これにより、Ｎチャンネルトランジスタ１４０１はＯＮして、各出力がＶＳＳレベルとなる。即ち、発振停止状態では、波形整形回路８４及び電池電圧検出回路８５は、Ｌレベル（ＶＳＳレベル）を出力する。なお、発振回路８１が発振していれば、発振停止回路８２はＬレベルを出力し、Ｎチャンネルトランジスタ１４０１はＯＦＦしているので、Ｎチャンネルトランジスタ１４０１は回路動作に影響を与えない。したがって、スイッチ６及びスイッチ７はオフ状態となる。さらに、前述したようにＳＷ制御回路８７は第２蓄電手段３の投入時以外はＬレベルを出力しているので、スイッチ９もオフ状態である。そして時計回路８の電源である第１蓄電手段２も蓄電エネルギーが無い状態である。以上より、第２蓄電手段３が投入される直前では、時計回路８は非動作状態、スイッチ６、スイッチ７及びスイッチ９はオフ状態である。
この状態で第２蓄電手段３が投入されると、前述したように、電源投入検出手段８６が第２蓄電手段３が投入されたことを検出して、Ｌレベルを出力する（信号（ｂ））。信号（ｂ）がＬレベルとなることにより、ＳＷ制御回路８７はＨレベルを出力（信号（ｄ））する。これによって、スイッチ９はオンする。ここで接続された第２蓄電手段３は予め十分蓄電されており且つ電圧が十分であれば、第２蓄電手段３の蓄電エネルギーは、オン状態のスイッチ９及びスイッチ７の順方向Ｎチャネルトランジスタ７２の寄生ダイオードを介して第１蓄電手段２に充電される。充電によって第１蓄電手段２の電圧が上昇し、第１蓄電手段２の電圧が発振回路８１の最低動作電圧を上回ると、発振回路８１は発振を開始し、時計回路８は動作を開始する。
前述したように、発振停止検出回路８２は発振回路８１が発振を開始したことを検出すると、発振停止検出回路８２はＬレベルを出力（信号（ｃ））する。信号（ｃ）がＬレベルとなることにより、ＳＷ制御回路８７はＬレベルを出力（信号（ｄ））する。これによって、スイッチ９はオフする。同時に、電池電圧検出手段８５も第２蓄電手段３の電圧が充分あることを検出して、Ｈレベルを出力し、スイッチ７をオンする。このように、時計回路８が動作を停止している状態から第２蓄電手段３を投入した場合でも、速やかに時計回路８は動作を再開することができる。したがって、時計回路８の消費電流の検査等を容易に行うことができる。もちろん、小売店等での時計の分解組立時などにも本方式を採用することができる。
図２は、第１の実施形態の変形例を示すブロック構成図である。図１との相違点は、図２では、図１に示すスイッチ９の代わりに、ＯＲ回路９２を設けた点である。ＯＲ回路９２の一方の入力はＳＷ制御回路８７と接続され、他方の入力は電池電圧検出手段８５と接続され、ＯＲ回路９２の出力はスイッチ７のＮチャンネルトランジスタ７１のゲートに接続されている。
図２において、第１の実施形態と同様に、第２蓄電手段３が投入されたことを電源投入検出回路８６が検出し、Ｌレベルを出力（信号（ｂ））する。信号（ｂ）がＬレベルとなることにより、ＳＷ制御回路８７がＨレベルを出力（信号（ｄ））をする。すると、ＯＲ回路９２はＨレベルを出力し、スイッチ７のＮチャンネルトランジスタ７１がオンする。すると、第２蓄電手段３の蓄電エネルギーは、スイッチ７のＮチャネルトランジスタ７１とスイッチ７のＮチャネルトランジスタ７２の寄生ダイオードを介して第１蓄電手段２に放電される。充電によって第１蓄電手段２の電圧が上昇し、第１蓄電手段２の電圧が発振回路８１の最低動作電圧を上回ると、発振回路８１は発振を開始する。以降は、第１の実施形態と同様に、発振停止検出回路８２は発振回路８１が発振を開始したことを検出すると、発振停止検出回路８２はＬレベルを出力（信号（ｃ））する。信号（ｃ）がＬレベルとなることにより、ＳＷ制御回路８７はＬレベルを出力（信号（ｄ））する。しかしながら、電池電圧検出手段８５も第２蓄電手段３の電圧が充分あることを検出して、Ｈレベルを出力する。したがって、ＯＲ回路９２はＨレベルを出力して、スイッチ７をオンし続ける。このように、時計回路８が動作を停止している状態から第２蓄電手段３を投入した場合でも、速やかに時計回路８は動作を再開することができる。このように、図１のスイッチ９の代わりにＯＲ回路９２を設けた場合でも、図１に示す充電式電子時計と同様の動作を行うことができる。もちろん、小売店等での時計の分解組立時などにも本変形方式を採用することができる。
図３は本発明に係る第２の実施形態を示す充電式電子時計のブロック構成図である。図１との相違点は、図３ではＳＷ制御回路８７が分周回路８３の信号で制御される点である。
本実施形態の場合、第１の実施形態と同様に、当初は、発電手段１は回路と接続されておらず、且つ第２蓄電手段３は電子時計に投入されていないものとする。したがって、最初に、第２蓄電手段３を投入する。
第２蓄電手段３が投入されたことを電源投入検出回路８６が検出し、Ｌレベルを出力（信号（ｂ））する。信号（ｂ）がＬレベルとなることにより、ＳＷ制御回路８７がスイッチ９をオンする。すると第２蓄電手段３の蓄電エネルギーは、スイッチ９のＮチャネルトランジスタ９１とスイッチ７のＮチャネルトランジスタ７２の寄生ダイオードを介して第１蓄電手段２に放電される。充電によって第１蓄電手段２の電圧が上昇し、第１蓄電手段２の電圧が発振回路８１の最低動作電圧を上回ると、発振回路８１は発振を開始する。
ここで、分周回路８３は、発振回路８１の信号を分周して、十分時間が経過してからＬレベルを出力（信号（ｃ））する。信号（ｃ）がＬレベルとなることにより、ＳＷ制御回路８７はＬレベルを出力（信号（ｄ））する。これによって、スイッチ９はオフする。このように、発振回路８１の発振が安定してからスイッチ９をオフすることになり、より確実に時計回路８が動作できるようになる。即ち、発振回路８１が発振開始後、直ぐに発振を停止してしまうことがあっても、直ぐにスイッチ９をオフしないので、引き続き第１蓄電手段２が充電される。これにより、発振回路８１は再度発振を開始するように促され、より確実に時計回路が動作できるようになる。
図４は、第２の実施形態の変形例を示すブロック構成図である。図３との相違点は、図４では、図３に示すスイッチ９の代わりに、ＯＲ回路９２を設けた点である。ＯＲ回路９２の一方の入力はＳＷ制御回路８７と接続され、他方の入力は電池電圧検出手段８５と接続され、ＯＲ回路９２の出力はスイッチ７のＮチャンネルトランジスタ７１のゲートに接続されている。
図４において、第２の実施形態と同様に、第２蓄電手段３が投入されたことを電源投入検出回路８６が検出し、Ｌレベルを出力（信号（ｂ））する。信号（ｂ）がＬレベルとなることにより、ＳＷ制御回路８７がＨレベルを出力（信号（ｄ））をする。すると、ＯＲ回路９２はＨレベルを出力し、スイッチ７のＮチャンネルトランジスタ７１がオン状態なる。すると第２蓄電手段３の蓄電エネルギーは、スイッチ７のＮチャネルトランジスタ７１とスイッチ７のＮチャネルトランジスタ７２の寄生ダイオードを介して第１蓄電手段２に放電される。充電によって第１蓄電手段２の電圧が上昇し、第１蓄電手段２の電圧が発振回路８１の最低動作電圧を上回ると、発振回路８１は発振を開始する。
ここで、分周回路８３は、発振回路８１の信号を分周して、十分時間が経過してからＬレベルを出力（信号（ｃ））する。信号（ｃ）がＬレベルとなることにより、ＳＷ制御回路８７はＬレベルを出力（信号（ｄ））する。しかしながら、電池電圧検出手段８５は、第２蓄電手段３の電圧が充分にあることを検出するので、Ｈレベルを出力する。したがって、ＯＲ回路９２は引き続きＨレベルを出力し、スイッチ７のＮチャンネルトランジスタ７１がオンする。このように、図３のスイッチ９の代わりにＯＲ回路９２を設けた場合でも、図３に示す充電式電子回路と同様の動作を行うことができる。もちろん、小売店等での時計の分解組立時などにも本変形方式を採用することができる。
図５は本発明に係る第３の実施形態を示す充電式電子時計のブロック構成図である。図１と図５との相違点は、図５ではＳＷ制御回路８７が発電手段１の信号で制御される点である。
本実施形態では、発電手段１は電子時計に組み込まれているが、第２蓄電手段３は電子時計に投入されていないものとする。したがって、最初に、第２蓄電手段３を電子時計に投入する。
第２蓄電手段３が投入されたことを電源投入検出回路８６が検出し、Ｌレベルを出力（信号（ｂ））する。信号（ｂ）がＬレベルとなることにより、ＳＷ制御回路８７がスイッチ９をオンする。すると、第２蓄電手段３の蓄電エネルギーは、スイッチ９のＮチャネルトランジスタ９１とスイッチ７のＮチャネルトランジスタ７２の寄生ダイオードを介して第１蓄電手段２に放電される。充電によって第１蓄電手段２の電圧が上昇し、第１蓄電手段２の電圧が発振回路８１の最低動作電圧を上回ると、発振回路８１は発振を開始する。
しかし、第２蓄電手段３の電圧が不十分な場合は、第１蓄電手段２の電圧が発振回路８１の最低動作電圧を下回り、発振回路８１は発振を開始しない。しかしながら、本実施形態では、発電手段１が組み込まれているので、発電手段１が発電を開始する。図５では、ＳＷ制御回路８７が、発電手段１の発電電位を検出して、スイッチ９をオフにするように構成されている。スイッチ９がオフになると、第１蓄電手段２と第２蓄電手段３とが切り離され、発電手段１の発電電位が第１蓄電手段２を充電することとなる。
第１蓄電手段２が十分充電されると、発振回路８１が発振を開始し、そして時計回路８が動作を開始する。このとき、第２蓄電手段３は十分な充電量を有していないので、電池電圧検出手段８５によりスイッチ７はオフ状態とされている。従って図１５で説明したように、第１蓄電手段２と第２蓄電手段３は交互に充電される。第２蓄電手段３が十分充電された後は、図１５を用いて説明した状況と同様な状況になる。このように、第２蓄電手段３の蓄電エネルギーが不十分で且つ第２蓄電手段３の電圧が足りない場合でも、発電手段１を組み込まれているので、通常通り発振回路８１の発振を開始させることができる。本実施形態は、電子時計の分解掃除時などに特に有効である。
図６は、第３の実施形態の変形例を示すブロック構成図である。図５との相違点は、図６では、図５に示すスイッチ９の代わりに、ＯＲ回路９２を股けた点である。ＯＲ回路９２の一方の入力はＳＷ制御回路８７と接続され、他方の入力は電池電圧検出手段８５と接続され、ＯＲ回路９２の出力はスイッチ７のＮチャンネルトランジスタ７１のゲートに接続されている。
図６において、第３の実施形態と同様に、第２蓄電手段３が投入されたことを電源投入検出回路８６が検出し、Ｌレベルを出力（信号（ｂ））する。信号（ｂ）がＬレベルとなることにより、ＳＷ制御回路８７がＨレベルを出力（信号（ｄ））をする。すると、ＯＲ回路９２はＨレベルを出力し、スイッチ７のＮチャンネルトランジスタ７１がオンする。すると、第２蓄電手段３の蓄電エネルギーは、スイッチ７のＮチャネルトランジスタ７１とスイッチ７のＮチャネルトランジスタ７２の寄生ダイオードを介して第１蓄電手段２に放電される。充電によって第１蓄電手段２の電圧が上昇し、第１蓄電手段２の電圧が発振回路８１の最低動作電圧を上回ると、発振回路８１は発振を開始する。
しかし、第２蓄電手段３の電圧が不十分な場合は、第１蓄電手段２の電圧が発振回路８１の最低動作電圧を下回り、発振回路８１は発振を開始しない。しかしながら、本実施形態では、発電手段１が組み込まれているので、発電手段１が発電を開始する。第３の実施形態と同様に、ＳＷ制御回路８７が、発電手段１の発電電位を検出して、Ｌレベルを出力する。それによって、ＯＲ回路９２がＬレベルを出力し、スイッチ７のＮチャネルトランジスタ７１のスイッチ７１をオフにする。スイッチ７がオフになると、第１蓄電手段２と第２蓄電手段３とが切り離され、発電手段１の発電電位が第１蓄電手段２を充電することとなる。
第１蓄電手段２が十分充電されると、発振回路８１が発振を開始し、そして時計回路８が動作を開始する。しかしながら、このとき、第２蓄電手段３は充分な充電量を有していないので、電池電圧検出手段８５の出力はＬレベルである。したがって、依然ＯＲ回路９２はＬレベルを出力し、スイッチ７はオフ状態とされている。従って図１４で説明したように、第１蓄電手段２と第２蓄電手段３は交互に充電される。第２蓄電手段３が充分充電された後は、図１４を用いて説明した状況と同様な状況になる。このように、第２蓄電手段３の蓄電エネルギーが不十分で且つ第２蓄電手段３の電圧が足りない場合でも、発電手段１を組み込まれているので、第２蓄電手段３の充電が充分でなくとも、第２蓄電手段３が発電手段１によって充電されることなく、第１蓄電手段２が発電手段１によって充電されるように構成することができる。これによって、時計回路８を素早く起動させることが可能となる。図６に示すように、図５のスイッチ９の代わりにＯＲ回路９２を設けた場合でも、図５に示す充電式電子回路と同様の動作を行うことができる。もちろん、小売店等での時計の分解組立時などにも本変形方式を採用することができる。
図７は本発明に係る第４の実施形態を示す充電式電子時計のブロック構成図である。図７において、図１と同様の構成には同一の番号を付して、説明を省略した。図１と図７の相違点は、図７において比較回路１００を設けた点である。
図７において、比較回路１００は、バッファゲート１０１、ダイオード１０２及びプルダウン抵抗１０３から構成されている。ダイオード１０２は、そのＶＦが発振回路８１の動作開始電圧より大きくなるように構成されており、そのアノードはＳＷ制御回路８７の出力に、そのカソードはバッファゲート１０１の入力に接続されている。また、バッファゲート１０１の入力はプルダウン抵抗１０３により第２蓄電手段３のマイナス側にプルダウンされている。バッファゲート１０１の出力はスイッチ９のＮチャネルトランジスタ９１のゲートに接続されている。
次に図７のブロック構成図の動作について説明する。本実施形態では、発電手段１は電子時計に組み込まれているが、第２蓄電手段３は電子時計に投入されていないものとする。これまでと同様に、時計回路８が動作しておらず、スイッチ６、スイッチ７及びスイッチ９がオフ状態の場合に、第２蓄電手段３を投入する。
第１の実施形態と同様に、第２蓄電手段３が投入されたことを電源投入検出回路８６が検出し、Ｌレベルを出力（信号（ｂ））する。信号（ｂ）がＬレベルとなることにより、ＳＷ制御回路８７がＨレベル（信号（ｄ））を出力する。
このとき、ＳＷ制御回路８７とスイッチ９の間に接続されたダイオード１０２により、ＳＷ制御回路８７の出力信号（信号（ｄ））のＨレベルと第２蓄電手段３のマイナス側の電位との差（即ち、第２蓄電手段３の電源電圧）が、ダイオード１０２のＶＦを越えない場合、ダイオード１０２の出力は解放状態となる。またこの場合、バッファゲート１０１の入力はプルダウン抵抗１０３によりＬレベルに固定され、バッファゲート１０１の出力はＬレベルとなり、スイッチ９はオフ状態のままとなる。一方、第２蓄電手段３の電源電圧が、ダイオード１０２のＶＦを越えている場合、ダイオード１０２の出力はＨレベルとなり、バッファゲート１０１の出力もＨレベルとなり、スイッチ９はオンする。
スイッチ９がオンすると、上述したように第２蓄電手段３の蓄電エネルギーがスイッチ９及びスイッチ７のＮチャネルトランジスタ７２の寄生ダイオードを介して第１蓄電手段２に放電される。充電によって第１蓄電手段２の電圧が上昇し、第１蓄電手段２の電圧が発振回路８１の最低動作電圧を上回ると、発振回路８１は発振を開始し、時計回路８は動作を開始する。
ここでスイッチ９がオンとなるのは、第２蓄電手段３の電圧が発振回路８１の動作開始電圧を上回っているときだけなので、スイッチ９がオンとなった場合、発振回路８１は必ず発振することができる。したがって、第２蓄電手段３を接続したけれども、発振回路８１を発振させるには第２蓄電手段３の電圧が足りないという場合には、スイッチ９がオンとはならない。
その場合、接続されている発電手段１が発電していれば、発電手段１により第１蓄電手段２に蓄電エネルギーが蓄電される。前述したように、第２蓄電手段３の電圧が足りない場合には、スイッチ９はオンとならない。さらに、電池電圧検出手段８５もスイッチ７をオンにしない。したがって、第１蓄電手段２の蓄電エネルギーが第２蓄電手段３に流れこまず、迅速に第１蓄電手段２を充電することができる。第１蓄電手段２が、充分に充電されれば、発振回路８１が発振を開始し、時計回路８を動作させることができる。
図８は、第４の実施形態の変形例を示すブロック構成図である。図７との相違点は、図８では、図７に示すスイッチ９の代わりに、ＯＲ回路９２を設けた点である。ＯＲ回路９２の一方の入力は比較回路１００のバッファゲート１０１の出力と接続され、他方の入力は電池電圧検出手段８５と接続され、ＯＲ回路９２の出力はスイッチ７のＮチャンネルトランジスタ７１のゲートに接続されている。
図８において、第４の実施形態と同様に、第２蓄電手段３が投入されたことを電源投入検出回路８６が検出し、Ｌレベルを出力（信号（ｂ））する。信号（ｂ）がＬレベルとなることにより、ＳＷ制御回路８７がＨレベル（信号（ｄ））を出力する。
前述したように、比較回路１００は、第２蓄電手段３の電源電圧がダイオード１０２のＶＦを越えない場合Ｌレベルを出力し、第２蓄電手段３の電源電圧がダイオード１０２のＶＦを越えている場合Ｈレベルを出力する。
比較回路１００がＨレベルを出力すると、ＯＲ回路９２はＨレベルを出力してスイッチ７のＮチャネルトランジスタ７１がオンとなる。すると、第２蓄電手段３の蓄電エネルギーがスイッチ７のトランジスタ７１及びスイッチ７のＮチャネルトランジスタ７２の寄生ダイオードを介して第１蓄電手段２に放電される。充電によって第１蓄電手段２の電圧が上昇し、第１蓄電手段２の電圧が発振回路８１の最低動作電圧を上回ると、発振回路８１は発振を開始し、時計回路８は動作を開始する。
ここでスイッチ７のＮチャネルトランジスタ７１がオンとなるのは、第２蓄電手段３の電圧が発振回路８１の動作開始電圧を上回っているときだけなので、スイッチ７のＮチャネルトランジスタ７１がオンとなった場合、発振回路８１は必ず発振することができる。したがって、第２蓄電手段３を接続したけれども、発振回路８１を発振させるには第２蓄電手段３の電圧が足りないという場合には、スイッチ７のＮチャネルトランジスタ７１がオンとはならない。その場合は、さらに発電手段１を接続して発電させ、第１蓄電手段２に発電エネルギーを蓄電させる必要がある。前述したように、第１蓄電手段２が充分に充電されれば、発振回路８１が発振を開始し、時計回路８を動作させることができる。
このように、図８に示すように、図７のスイッチ９の代わりにＯＲ回路９２を設けた場合でも、図７に示す充電式電子回路と同様の動作を行うことができる。もちろん、小売店等での時計の分解組立時などにも本変形方式を採用することができる。
図１１は本発明に係る第５の実施形態を示す充電式電子時計のブロック構成図である。図１１において、図１と同様の構成には同一の番号を付して、説明を省略した。図１との相違点は、図１１では第２のＳＷ制御回路８８が使用される点である。
図１３に、電源投入検出手段８６及び第２のＳＷ制御回路８８の回路構成の一例を示す。電源投入検出手段８６は、図９と同様に、キャパシタ８６１、抵抗８６２及びインバータ８６３から構成されている。キャパシタ８６１の一方の電極はＶＤＤ電位に、他の電極は抵抗８６２に接続されている。抵抗８６２の一方の端子はＶＳＳ電位に、もう一方の端子はキャパシタ８６１に接続されている。キャパシタ８６１と抵抗８６２とを接続するラインがインバータ８６３の入力（信号（ａ））と接続され、インバータ８６３の出力が電源投入検出手段８６の出力（信号（ｂ））となる。
第２のＳＷ制御回路８８は、ＣＲ発振器８８１及びカウンタ８８２から構成されている。ＣＲ発振器８８１は、インバータ８８１１、８８１３及び８８１４、ナンドゲート８８１２、アンドゲート８７１７、抵抗８８１５及びコンデンサ８８１６から構成される。カウンタ８８２は、タイマ８８２１及びインバータ８８２２から構成されている。
ＣＲ発振器８８１は、入力（信号（ｄ））がＨレベルになると発振を開始し、抵抗８８１５及びコンデンサ８８１６による時定数に応じて、出力（信号（ｅ））の周波数が変更されるように構成されている。計時手段の一例であるカウンタ８８２は、ＣＲ発振器の出力（信号（ｅ））をカウントし、カウントアップすると（Ｎ回）、Ｌレベル出力（信号（ｄ））を行うように構成されている。
次に、図１３に示す回路の動作を説明する。電源投入検出手段８６の信号（ａ）の電位は、前述した図１０の（ａ）の様に推移する。したがって、第２蓄積手段３の投入時は、電源投入手段８６の出力（信号（ｂ））はＬレベルである。信号（ｂ）によって、カウンタ８８２のタイマ８８２１にリセットがかかり、タイマ８８２１の出力はＬレベルとなり、インバータ８８２２によって、カウンタ８８２の出力（信号（ｄ））はＨレベルとなる。信号（ｄ）がＨレベルになることにより、ＣＲ発振器８８１が発振を開始する。カウンタ８８２は、ＣＲ発振器８８１の出力（信号（ｅ））をカウントし、予め定められたカウント数（Ｎ）に達すると、Ｌレベル出力（信号（ｄ））を行う。信号（ｄ）がＬレベルになることにより、ＣＲ発振器８８１は、発振を停止する。
第２のＳＷ制御回路８８の出力、即ちカウンタ８８２の出力（信号（ｄ））が、第２蓄電手段３投入後に、ＨレベルからＬレベルになるまでの時間は、発振回路８１の発振が安定するほど第２蓄電手段３から第１蓄電手段２へ充電がさなれるまでの時間以上で、電池電圧検出手段８５が動作するまでの時間であることが望ましい。なお、ＣＲ発振器８８２の時定数を変更すること、又はカウンタ８８２のカウントアップ数（Ｎ）を変更することによって、第２のＳＷ制御回路８８の出力が、ＨレベルからＬレベルになるまでの時間を変更することができる。
次に図１１のブロック構成図の動作について説明する。本実施形態では、発電手段１は電子時計に組み込まれているが、第２蓄電手段３は電子時計に投入されていないものとする。これまでと同様に、時計回路８が動作しておらず、スイッチ６、スイッチ７及びスイッチ９がオフ状態の場合に、第２蓄電手段３を投入する。
第１の実施形態と同様に、第２蓄電手段３が投入されたことを電源投入検出回路８６が検出し、Ｌレベルを出力（信号（ｂ））する。信号（ｂ）がＬレベルとなると、第２のＳＷ制御回路８８は、Ｈレベル（信号（ｄ））を出力する。
第２のＳＷ制御回路８８がＨレベルを出力（信号（ｄ））することによって、スイッチ９はオンする。ここで接続された第２蓄電手段３は予め十分蓄電されており且つ電圧が十分であれば、第２蓄電手段３の蓄電エネルギーは、オン状態のスイッチ９及びスイッチ７の順方向Ｎチャネルトランジスタ７２の寄生ダイオードを介して第１蓄電手段２に充電される。充電によって第１蓄電手段２の電圧が上昇し、第１蓄電手段２の電圧が発振回路８１の最低動作電圧を上回ると、発振回路８１は発振を開始し、時計回路８は動作を開始する。
前述したように、ＣＲ発振器８８１の時定数及びカウンタ８８２のカウントアップ数（Ｎ）によって予め定められている時間経過後、第２のＳＷ制御回路８８がＬレベル（信号（ｄ））を出力する。これによって、スイッチ９はオフする。同時に、電池電圧検出手段８５も第２蓄電手段３の電圧が十分あることを検出して、Ｈレベルを出力し、スイッチ７をオンする。このように、時計回路８が動作を停止している状態から第２蓄電手段３を投入した場合でも、速やかに時計回路８は動作を再開することができる。したがって、時計回路８の消費電流の検査等を容易に行うことができる。もちろん、小売店等での時計の分解組立時などにも本方式を採用することができる。
ここで、第２のＳＷ制御回路８８の動作は、発振回路８１の発振の有無には依存しない。したがって、第２蓄電手段３を投入後、第２蓄電手段３の電圧が低く、発振回路８１の発振が開始しない場合でも、予め定められた時間後に第２のＳＷ制御回路８８の出力（信号（ｄ））はＬレベルとなり、スイッチ９をオフする。そのため、発電手段（ソーラーパネル）１に光があたり発電を開始した場合、第１蓄電手段２が充電され、発振回路８１が発振することができる。
図１２は、第５の実施形態の変形例を示すブロック構成図である。図１１との相違点は、図１２では、図１１に示すスイッチ９の代わりに、ＯＲ回路９２を設けた点である。ＯＲ回路９２の一方の入力は第２のＳＷ制御回路８８と接続され、他方の入力は電池電圧検出手段８５と接続され、ＯＲ回路９２の出力はスイッチ７のＮチャンネルトランジスタ７１のゲートに接続されている。
図１２において、第５の実施形態と同様に、第２蓄電手段３が投入されたことを電源投入検出回路８６が検出し、Ｌレベルを出力（信号（ｂ））する。信号（ｂ）がＬレベルとなることにより、第２のＳＷ制御回路８８がＨレベルを出力（信号（ｄ））をする。すると、ＯＲ回路９２はＨレベルを出力し、スイッチ７のＮチャンネルトランジスタ７１がオンする。すると、第２蓄電手段３の蓄電エネルギーは、スイッチ７のＮチャネルトランジスタ７１とスイッチ７のＮチャネルトランジスタ７２の寄生ダイオードを介して第１蓄電手段２に放電される。充電によって第１蓄電手段２の電圧が上昇し、第１蓄電手段２の電圧が発振回路８１の最低動作電圧を上回ると、発振回路８１は発振を開始する。このように、図１１のスイッチ９の代わりにＯＲ回路９２を設けた場合でも、図１１に示す充電式電子時計と同様の動作を行うことができる。もちろん、小売店等での時計の分解組立時などにも本変形方式を採用することができる。
【図１】
2004027525.tif 000003
【図２】
2004027525.tif 000004
【図３】
2004027525.tif 000005
【図４】
2004027525.tif 000006
【図５】
2004027525.tif 000007
【図６】
2004027525.tif 000008
【図７】
2004027525.tif 000009
【図８】
2004027525.tif 000010
【図９】
2004027525.tif 000011
【図１０】
2004027525.tif 000012
【図１１】
2004027525.tif 000013
【図１２】
2004027525.tif 000014
【図１３】
2004027525.tif 000015
【図１４】
2004027525.tif 000016
【図１５】
2004027525.tif 000017
【国際調査報告】
2004027525.tif 000018
2004027525.tif 000019
2004027525.tif 000020
2004027525.tif 000021